(57)【要約】【課題】  マルチメディアデータに含まれた映像を印刷しながら同時に音も再生する。【解決手段】  外部から提供されたマルチメディアデータを受信し，受信したマルチメディアデータからビデオデータ，オーディオデータ及び同期データを分離し，同期データから同期信号を抽出する段階と，ビデオデータに相当する映像を印刷する作業とオーディオデータに相当する音を再生する作業とを抽出された同期信号を利用して同期させて行う段階と，を含むマルチメディアデータ再生方法を提供する。【選択図】    図１
2005057751.tif 000002
【特許請求の範囲】
【請求項１】
（ａ）外部から提供されたマルチメディアデータを受信し，前記受信したマルチメディアデータからビデオデータ，オーディオデータ及び同期データを分離し，前記同期データから同期信号を抽出する段階と，
（ｂ）前記ビデオデータに相当する映像を印刷する作業と前記オーディオデータに相当する音を再生する作業とを前記抽出された同期信号を利用して同期させて行う段階と，
を含むことを特徴とするマルチメディアデータ再生方法。
【請求項２】
前記（ａ）段階は，
前記マルチメディアデータを受信する段階と，
受信した前記マルチメディアデータから前記ビデオデータ，前記オーディオデータ及び前記同期データを分離する段階と，
前記分離された同期データから前記同期信号を抽出する段階と，
を含むことを特徴とする，請求項１に記載のマルチメディアデータ再生方法。
【請求項３】
前記（ｂ）段階で前記映像を印刷する作業は，
（ｂ１１）印刷されるページ毎に，１ページに属する前記ビデオデータをフレーム単位にデコードして保存する段階と，
（ｂ１２）前記同期信号を利用して第１伝送時点が到来したか否かを判断する段階と，
（ｂ１３）前記第１伝送時点が到来したと判断された場合に，前記デコードされて保存された結果を利用して前記１ページの前記映像を印刷する段階と，を含み，
前記第１伝送時点は前記音が再生される時点から第１所定期間以前に該当し，前記第１所定期間は前記（ｂ１３）段階の実行に要する期間に該当することを特徴とする，請求項１または２に記載のマルチメディアデータ再生方法。
【請求項４】
前記（ｂ１３）段階は，
前記第１伝送時点が到来したと判断された場合に，単位時間当りに印刷されることが要求される前記ビデオデータに含まれるフレームの数である第１個数が，前記単位時間当りに前記（ｂ１３）段階で印刷されうるフレームの数である第２個数以上であるか否かを判断する段階と，
前記第１個数が前記第２個数以上であると判断された場合に，前記１ページに対して保存されている前記デコードされた結果のうち，前記印刷される１ページに含まれうるフレームの総数を超えない数のフレームに該当する結果だけを選択的に抽出し，前記抽出された結果で印刷データを構成する段階と，
前記第１個数が前記第２個数より少ないと判断された場合に，前記１ページに対して保存された前記デコードされた結果で前記印刷データを構成する段階と，
前記印刷データを利用して前記１ページの前記映像を印刷する段階と，を含むことを特徴とする請求項３に記載のマルチメディアデータ再生方法。
【請求項５】
前記（ｂ１１）段階は前記ビデオデータをレンダリングする段階を含むことを特徴とする請求項３または４に記載のマルチメディアデータ再生方法。
【請求項６】
前記オーディオデータに相当する音を再生する作業は，
（ｂ２１）印刷される１ページに属する前記映像と共に再生される前記オーディオデータをパケット単位にデコードして保存する段階と，
（ｂ２２）前記同期信号を利用して第２伝送時点が到来したか否かを判断する段階と，
（ｂ２３）前記第２伝送時点が到来したと判断された場合に，前記デコードされた保存された結果を増幅し，前記増幅された結果を前記音として再生する段階と，を含み，
前記第２伝送時点は前記映像が印刷される時点から第２所定期間以前に該当し，前記第２所定期間は前記（ｂ２３）段階の実行に要する期間に該当することを特徴とする，請求項１から５のいずれかに記載のマルチメディアデータ再生方法。
【請求項７】
外部から入力されたマルチメディアデータからビデオデータ，オーディオデータ及び同期データを分離し，前記同期データから同期信号を抽出するデータ処理部と，
前記分離されたビデオデータに相当する映像を印刷する作業と，前記分離されたオーディオデータに相当する音を再生する作業とを，前記抽出された同期信号に応じて同期させて行うデータ再生部と，
を具備することを特徴とするマルチメディアデータ再生装置。
【請求項８】
前記データ処理部は，
前記マルチメディアデータを受信するデータ受信部と，
受信された前記マルチメディアデータから前記ビデオデータ，前記オーディオデータ及び前記同期データを分離するデータ分離部と，
前記分離された同期データから前記同期信号を抽出する信号抽出部と，
を具備することを特徴とする，求項７に記載のマルチメディアデータ再生装置。
【請求項９】
前記データ再生部は，
前記分離されたビデオデータに相当する映像を印刷する映像再生部と，
前記分離されたオーディオデータに相当する音を再生する音再生部と，を具備し，
前記映像再生部と前記音再生部とは前記抽出された同期信号に応じて同期されて動作することを特徴とする，請求項７または８に記載のマルチメディアデータ再生装置。
【請求項１０】
前記映像再生部は，
印刷されるページ毎に，前記データ処理部から入力された１ページに属する前記ビデオデータをフレーム単位にデコードして保存するビデオデコード部と，
前記同期信号に応じて，第１伝送時点が到来したか否かを検査し，検査結果を第１制御信号として出力する第１時点検査部と，
前記第１制御信号に応じて，前記ビデオデコード部から入力された前記デコードされた結果から前記１ページの前記映像を印刷する印刷部と，を具備し，
前記第１伝送時点は前記音が再生される時点から第１所定期間以前に該当し，前記第１所定期間は前記印刷部が前記デコードされた結果から前記映像を印刷するのに要する期間に該当することを特徴とする，請求項９に記載のマルチメディアデータ再生装置。
【請求項１１】
前記印刷部は，
前記第１制御信号に応じて，単位時間当りに印刷されることが要求される前記ビデオデータに含まれるフレームの数である第１個数と，前記単位時間当りに印刷されうるフレームの数である第２個数とを比較し，比較された結果を出力する比較部と，
前記比較部で比較された結果に応じて，前記ビデオデコード部から入力された前記１ページに対して保存された前記結果のうち，前記印刷される１ページに含まれうるフレームの総数を超えない数のフレームに該当する前記結果だけを選択的に抽出し，前記抽出された結果で印刷データを構成するか，または，前記ビデオデコード部から入力された前記１ページに対して保存された前記結果で前記印刷データを構成する印刷データ構成部と，
前記印刷データ構成部から入力された前記印刷データから前記１ページの前記映像を印刷する印刷エンジンと，を具備することを特徴とする，請求項１０に記載のマルチメディアデータ再生装置。
【請求項１２】
前記音再生部は，
前記印刷される１ページに属する前記映像と共に再生される前記オーディオデータをパケット単位にデコードして保存するオーディオデコード部と，
前記同期信号を利用して第２伝送時点が到来したか否かを検査し，検査された結果を第２制御信号として出力する第２時点検査部と，
前記第２制御信号に応じて，前記オーディオデコード部から入力された前記保存された結果を増幅し，増幅された結果を前記音として再生する音出力部と，を具備し，
前記第２伝送時点は前記映像が印刷される時点から第２所定期間以前に該当し，前記第２所定期間は前記音出力部が前記保存された結果から前記音を再生するのに要する期間に該当することを特徴とする請求項９から１１のいずれかに記載のマルチメディアデータ再生装置。
【請求項１３】
前記マルチメディアデータは，パーソナルコンピュータ，個人情報端末機，カメラを備えた携帯電話，またはデジタルカムコーダのいずれか１つから入力されることを特徴とする，請求項７から１２のいずれかに記載のマルチメディアデータ再生装置。
【発明の詳細な説明】
【技術分野】
【０００１】
本発明は映像と音とについてのデータを何れも有するマルチメディアデータの処理に関し，特に，マルチメディアデータに含まれた映像を印刷するとともに音を再生することの可能なマルチメディアデータ再生方法及びマルチメディアデータ再生装置に関する。
【背景技術】
【０００２】
一般的に，個人情報端末機（ＰＤＡ：Ｐｅｒｓｏｎａｌ  Ｄｉｇｉｔａｌ  Ａｓｓｉｓｔａｎｔｓ，図示せず）や携帯電話（図示せず）のような携帯用無線通信機器（図示せず）で生成されたマルチメディアデータはオーディオデータとビデオデータとを共に含んでいる。このようなマルチメディアデータをパソコンなどで再生する場合，ビデオデータに該当する映像とオーディオデータに該当する音とを同期させて共に再生できる。
【０００３】
一方，マルチメディアデータをパソコンのような再生装置でなくプリンタを利用して再生することもできる。このように，マルチメディアデータをプリンタを利用して再生する従来のマルチメディア再生装置が特許文献１に開示されている。
【０００４】
以下，開示された従来のマルチメディア再生方法について説明する。上記文献に開示されたマルチメディア再生方法によれば，映像データとマルチメディアデータとが混合されたデータがパソコンから発生する。この時，キューというメモリに作業チケットデータが保存され，実際に印刷される映像に該当する印刷データはコンパイラに保存され，プリンタに送られて印刷される。ブランチは作業チケット情報からマルチメディアデータを抽出して合成器に提供する。この時，合成器は抽出されたデータをスピーカーに提供し，スピーカーは抽出されたデータに該当する音を再生する。ここで，再生される音，すなわち，作業チケットデータに含まれたマルチメディアデータは“印刷物を青色表紙で製本してください“のようなユーザーの注文などである。
【０００５】
前述した開示された方法を含む従来のマルチメディア再生方法では，マルチメディアデータに含まれたビデオデータに該当する映像を印刷しながらオーディオデータに該当する音を再生できる。
【０００６】
【特許文献１】特開平１４−３１２１５１号公報
【特許文献２】特開平１２−２２４５２４号公報
【特許文献３】米国特許出願公開第２０００／０１８６４０５号明細書
【特許文献４】米国特許第５，５２４，０８５号明細書（“Ｍｕｌｔｉｍｅｄｉａ  ｊｏｂ  ｔｉｃｋｅｔｓ  ｆｏｒ  ｐｒｉｎｔｉｎｇ  ｍａｃｈｉｎｅｓ“）
【発明の開示】
【発明が解決しようとする課題】
【０００７】
しかし，上記の従来のマルチメディア再生方法によれば，再生される音は映像と共に再生されずに映像とは別に再生される。したがって，マルチメディアデータが一編の映画のためのビデオデータとオーディオデータとを含んでいる場合，すなわち，マルチメディアデータに含まれたビデオデータの映像とオーディオデータの音とが同期されて再生される必要性がある場合，従来のマルチメディア再生方法では映像を印刷しながら音を再生することができないという問題点を有する。すなわち，映像だけが印刷されて音は喪失される。
【０００８】
例えば，第１ユーザーが見せたい画面や自分の姿を携帯用カムコーダやカメラを装着した携帯電話で撮影し，撮影された結果に該当するマルチメディアデータである動画データを第２ユーザーに伝送すると仮定する。この時，従来のマルチメディアデータ再生方法による場合，動画データを伝送された第２ユーザーは第１ユーザーが伝送した動画を印刷する時，動画の印刷に同期させて動画に含まれた音を再生することができない。
【０００９】
そこで，本発明は，このような問題に鑑みてなされたもので，その目的とするところは，マルチメディアデータに含まれた映像を印刷しながら同時に音も再生できるマルチメディアデータ再生方法およびマルチメディアデータ再生装置を提供することにある。
【課題を解決するための手段】
【００１０】
上記課題を解決するために，本発明のある観点によれば，（ａ）外部から提供されたマルチメディアデータを受信し，前記受信したマルチメディアデータからビデオデータ，オーディオデータ及び同期データを分離し，前記同期データから同期信号を抽出する段階と，（ｂ）前記ビデオデータに相当する映像を印刷する作業と前記オーディオデータに相当する音を再生する作業とを前記抽出された同期信号を利用して同期させて行う段階とを含むことを特徴とするマルチメディアデータ再生方法が提供される。
【００１１】
上記（ａ）段階は，前記マルチメディアデータを受信する段階と，受信した前記マルチメディアデータから前記ビデオデータ，前記オーディオデータ及び前記同期データを分離する段階と，前記分離された同期データから前記同期信号を抽出する段階とを含んでもよい。
【００１２】
上記（ｂ）段階で前記映像を印刷する作業は，（ｂ１１）印刷されるページ毎に，１ページに属する前記ビデオデータをフレーム単位にデコードして保存する段階と，（ｂ１２）前記同期信号を利用して第１伝送時点が到来したか否かを判断する段階と，（ｂ１３）前記第１伝送時点が到来したと判断された場合に，前記デコードされて保存された結果を利用して前記１ページの前記映像を印刷する段階とを含み，前記第１伝送時点は前記音が再生される時点から第１所定期間以前に該当し，前記第１所定期間は前記（ｂ１３）段階の実行に要する期間に該当するようにしてもよい。
【００１３】
上記（ｂ１３）段階は，前記第１伝送時点が到来したと判断された場合に，単位時間当りに印刷されることが要求される前記ビデオデータに含まれるフレームの数である第１個数が，前記単位時間当りに前記（ｂ１３）段階で印刷されうるフレームの数である第２個数以上であるか否かを判断する段階と，前記第１個数が前記第２個数以上であると判断された場合に，前記１ページに対して保存されている前記デコードされた結果のうち，前記印刷される１ページに含まれうるフレームの総数を超えない数のフレームに該当する結果だけを選択的に抽出し，前記抽出された結果で印刷データを構成する段階と，前記第１個数が前記第２個数より少ないと判断された場合に，前記１ページに対して保存された前記デコードされた結果で前記印刷データを構成する段階と，前記印刷データを利用して前記１ページの前記映像を印刷する段階とを含んでもよい。
【００１４】
上記（ｂ１１）段階は前記ビデオデータをレンダリングする段階を含んでもよい。
【００１５】
上記オーディオデータに相当する音を再生する作業は，（ｂ２１）印刷される１ページに属する前記映像と共に再生される前記オーディオデータをパケット単位にデコードして保存する段階と，（ｂ２２）前記同期信号を利用して第２伝送時点が到来したか否かを判断する段階と，（ｂ２３）前記第２伝送時点が到来したと判断された場合に，前記デコードされた保存された結果を増幅し，前記増幅された結果を前記音として再生する段階と，を含み，前記第２伝送時点は前記映像が印刷される時点から第２所定期間以前に該当し，前記第２所定期間は前記（ｂ２３）段階の実行に要する期間に該当するようにしてもよい。
【００１６】
上記課題を解決するために，本発明の別の観点によれば，外部から入力されたマルチメディアデータからビデオデータ，オーディオデータ及び同期データを分離し，前記同期データから同期信号を抽出するデータ処理部と，前記分離されたビデオデータに相当する映像を印刷する作業と，前記分離されたオーディオデータに相当する音を再生する作業とを，前記抽出された同期信号に応じて同期させて行うデータ再生部とを具備することを特徴とするマルチメディアデータ再生装置が提供される。
【００１７】
上記データ処理部は，前記マルチメディアデータを受信するデータ受信部と，受信された前記マルチメディアデータから前記ビデオデータ，前記オーディオデータ及び前記同期データを分離するデータ分離部と，前記分離された同期データから前記同期信号を抽出する信号抽出部とを具備するようにしてもよい。
【００１８】
上記データ再生部は，前記分離されたビデオデータに相当する映像を印刷する映像再生部と，前記分離されたオーディオデータに相当する音を再生する音再生部と，を具備し，前記映像再生部と前記音再生部とは前記抽出された同期信号に応じて同期されて動作するように構成されてもよい。
【００１９】
上記映像再生部は，印刷されるページ毎に，前記データ処理部から入力された１ページに属する前記ビデオデータをフレーム単位にデコードして保存するビデオデコード部と，前記同期信号に応じて，第１伝送時点が到来したか否かを検査し，検査結果を第１制御信号として出力する第１時点検査部と，前記第１制御信号に応じて，前記ビデオデコード部から入力された前記デコードされた結果から前記１ページの前記映像を印刷する印刷部と，を具備し，前記第１伝送時点は前記音が再生される時点から第１所定期間以前に該当し，前記第１所定期間は前記印刷部が前記デコードされた結果から前記映像を印刷するのに要する期間に該当するように構成されてもよい。
【００２０】
上記印刷部は，前記第１制御信号に応じて，単位時間当りに印刷されることが要求される前記ビデオデータに含まれるフレームの数である第１個数と，前記単位時間当りに印刷されうるフレームの数である第２個数とを比較し，比較された結果を出力する比較部と，前記比較部で比較された結果に応じて，前記ビデオデコード部から入力された前記１ページに対して保存された前記結果のうち，前記印刷される１ページに含まれうるフレームの総数を超えない数のフレームに該当する前記結果だけを選択的に抽出し，前記抽出された結果で印刷データを構成するか，または，前記ビデオデコード部から入力された前記１ページに対して保存された前記結果で前記印刷データを構成する印刷データ構成部と，前記印刷データ構成部から入力された前記印刷データから前記１ページの前記映像を印刷する印刷エンジンと，を具備するように構成されてもよい。
【００２１】
上記音再生部は，印刷される１ページに属する前記映像と共に再生される前記オーディオデータをパケット単位にデコードして保存するオーディオデコード部と，前記同期信号を利用して第２伝送時点が到来したか否かを検査し，検査された結果を第２制御信号として出力する第２時点検査部と，前記第２制御信号に応じて，前記オーディオデコード部から入力された前記保存された結果を増幅し，増幅された結果を前記音として再生する音出力部と，を具備し，前記第２伝送時点は前記映像が印刷される時点から第２所定期間以前に該当し，前記第２所定期間は前記音出力部が前記保存された結果から前記音を再生するのに要する期間に該当するように構成されてもよい。
【発明の効果】
【００２２】
以上説明したように本発明によれば，マルチメディアデータに含まれた映像を印刷すると同時に音が再生できるので，映画や動画などのマルチメディアデータをプリンタなどを利用してよりリアルに再生できるという効果を有する。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
図１は，本実施形態にかかるマルチメディアデータ再生方法を説明するためのフローチャートであり，マルチメディアデータから分離したビデオデータとオーディオデータから映像の印刷と音の再生を同期させて行う段階（第１０及び第１２段階）よりなる。
【００２５】
本実施形態にかかるマルチメディアデータ再生方法は，まず，外部から提供されたマルチメディアデータを受信し，受信したマルチメディアデータからビデオデータ，オーディオデータ及び同期データを分離し，分離された同期データから同期信号を抽出する（第１０段階）。ここで，マルチメディアデータはパソコン（Ｐｅｒｓｏｎａｌ  Ｃｏｍｐｕｔｅｒ，図示せず），ＰＤＡ（Ｐｅｒｓｏｎａｌ  Ｄｉｇｉｔａｌ  Ａｓｓｉｓｔａｎｔ，図示せず），カメラ付き携帯電話（図示せず），またはデジタルカムコーダ（図示せず）などから入力されうる。
【００２６】
図２は，図１に示された第１０段階の具体例１０Ａを説明するためのフローチャートであり，マルチメディアデータからビデオデータとオーディオデータとを分離し，同期信号を抽出する段階（第２０〜第２４段階）よりなる。
【００２７】
まず，マルチメディアデータを受信する（第２０段階）。ここで，マルチメディアデータは有線または無線のネットワークバス（図示せず）を通じて受信することができる。
【００２８】
第２０段階後に，受信したマルチメディアデータからビデオデータ，オーディオデータ及び同期データを分離する（第２２段階）。ここで，分離されたビデオデータ及び分離されたオーディオデータのそれぞれはビットストリーム形式である。例えば，分離された同期データはＭＰＥＧ（Ｍｏｔｉｏｎ  Ｐｉｃｔｕｒｅ  Ｅｘｐｅｒｔ  Ｇｒｏｕｐ）４標準で使用される同期情報であってもよい。この時，同期情報は，１つのパケットに含まれている映像データと音声データとを同期させて再生する時に必要な情報を有する。
【００２９】
第２２段階後に，分離された同期データから同期信号を抽出する（第２４段階）。
【００３０】
一方，第１０段階後に，ビデオデータに相当する映像の印刷作業と，オーディオデータに相当する音の再生作業とを，抽出された同期信号を利用して同期させて行う（第１２段階）。
【００３１】
図３は，図１に示された第１２段階の具体例１２Ａを説明するためのフローチャートであり，ビデオデータをデコードして保存する段階（第３０段階）と，第１伝送時点になった場合に上記で保存した結果を利用して映像を印刷する段階（第３２及び第３４段階）よりなる。
【００３２】
ビデオデータから映像を印刷する作業を行うために，まず，第１０段階後に，印刷されるページ毎に，１ページに属するビデオデータをフレーム単位にデコードし，デコードした結果を保存する（第３０段階）。この時，第１０段階で分離されたビデオデータがベクトルイメージデータであれば，第３０段階でビデオデータをレンダリングする。ここで，レンダリングとは，ベクトルイメージデータをラスタイメージデータに変換することを意味する。しかし，第１０段階で分離されたビデオデータがラスタイメージデータである場合，第３０段階でビデオデータをレンダリングする必要がない。例えば，ベクトルイメージデータとはポストスクリプトイメージデータを意味し，ラスタイメージデータとはビットマップイメージデータが意味する。
【００３３】
本実施形態によれば，第３０段階は，ビデオデータをフレーム単位にデコードする段階と，デコードした結果を保存する段階と，１ページに属するビデオデータが共にデコードされて保存されたか否かを判断する段階を含む。ここで，１ページに属するビデオデータが共にデコードされて保存されていないと判断された場合にはビデオデータをデコードして保存する段階を行う。一方，１ページに属するビデオデータが全てデコードされて保存されたと判断された場合には第３２段階に進む。
【００３４】
第３０段階後に，同期信号を利用して第１伝送時点になったか否かを判断する（第３２段階）。ここで，第１伝送時点とは，マルチメディアデータに含まれたオーディオデータに該当する音が再生される時点ｔから第１所定期間ｔ１以前に該当する。第１所定期間ｔ１は，１ページに属するフレームに対するデコードされた結果を利用して１ページの映像を印刷するのにかかる期間である。もし，第１伝送時点が到来していないと判断された場合には，第３２段階に進んで第１伝送時点になったか否かを判断し続ける。
【００３５】
しかし，第１伝送時点になったと判断されれば，１ページに属するフレームに対するデコードされた結果を利用して１ページの映像を印刷する（第３４段階）。
【００３６】
図４は，図３に示された第３４段階の具体例３４Ａを説明するためのフローチャートであり，第１個数と第２個数とを比較した結果に従って印刷データを構成する段階（第５０〜第５４段階）と，印刷データを利用して映像を印刷する段階（第５６段階）よりなる。
【００３７】
第１伝送時点になったと判断された場合に，第１個数が第２個数以上であるか否かを判断する（第５０段階）。ここで，第１個数Ｘとは，第３４段階で単位時間当たりに印刷されることが要求されるビデオデータに含まれたフレームの最大数を意味する。第１個数Ｘは，印刷される映像の画質によって１秒当たり２４〜３０個になる場合もあり，カメラ付き携帯電話の場合，普通秒当たり３〜６個になる場合もある。また，第２個数Ｙとは，単位時間当たりに第３４段階で印刷されうるフレームの最大数を意味する。
【００３８】
もし，第１個数が第２個数以上であると判断された場合には，１ページに対して保存されているデコードされた結果のうち第３個数Ｚを超えない数のフレームに該当するデコード結果だけを選択的に抽出し，抽出された結果を利用して１ページに対する印刷データを構成する（第５２段階）。ここで，第３個数とは，第３４段階で印刷される１ページに含まれうるフレームの総数を意味し，約１６〜２０個程度である。
【００３９】
しかし，第１個数が第２個数より少ないと判断された場合には，１ページに対して保存されているデコードされた結果で印刷データを構成する（第５４段階）。
【００４０】
すなわち，１ページに対する印刷データに含まれるフレームの数Ｆは，第１個数が第２個数以上である場合（Ｘ≧Ｙ）には第３個数Ｚになり，第１個数Ｘが第２個数Ｙより少ない場合（Ｘ＜Ｙ）にはＸ＊Ｚ／Ｙとなる。
【００４１】
第５２及び第５４段階の理解を助けるために，第１所定期間ｔ１が３秒であり，第３個数Ｚが２０個であると仮定すると，第２個数（Ｙ＝Ｚ／３）は６．６７個となる。
【００４２】
この時，１秒当たりに印刷が要求されるビデオデータに含まれるフレームの最大数である第１個数Ｘが３０個であれば，第１個数Ｘが第２個数Ｙ以上であるので，デコードされた３０個のフレームのうち６個のフレームを抽出する作業を反復して，３秒間１８個のフレームを抽出し，抽出された１８個のフレームで１ページに対する印刷データを構成する（第５２段階）。この時，３０個のフレームのうち６個のフレームを抽出するために，例えば５個のフレーム毎に所定番目に位置した１個のフレームを選択することもできる。
【００４３】
しかし，第１個数Ｘが４個であれば，第１個数Ｘが第２個数Ｙより少ないので，デコードされた４個のフレームを１秒毎に選択する動作を反復して，３秒間１２個のフレームを選択し，選択された１２個のフレームで１ページに対する印刷データを構成する（第５４段階）。
【００４４】
第５２または第５４段階後に，印刷データを利用して１ページの映像を印刷する（第５６段階）。
【００４５】
図５は，図１に示された第１２段階の具体例１２Ｂを説明するためのフローチャートであり，オーディオデータをデコードして保存する段階（第７０段階）と，第２伝送時点が到来した場合に音を再生する段階（第７２及び第７４段階ら）よりなる。
【００４６】
オーディオデータに相当する音を再生する作業を行うために，まず，印刷されるページ毎に１ページに属する映像と共に再生されるオーディオデータをフレーム単位にデコードし，デコードされた結果を保存する（第７０段階）。
【００４７】
本実施形態によれば，第７０段階は，オーディオデータをパケット単位にデコードする段階と，デコードされた結果を保存する段階と，１ページに属するオーディオデータが全てデコードされて保存されたか否かを判断する段階を含む。ここで，１ページに属するオーディオデータが全てデコードされて保存されていないと判断された場合には，オーディオデータをデコードして保存する段階を行い続ける。一方，１ページに属するオーディオデータが全てデコードされて保存されたと判断された場合には，第７２段階に進む。
【００４８】
第７０段階後に，同期信号を利用して第２伝送時点が到来したか否かを判断する（第７２段階）。ここで，第２伝送時点は映像が印刷される時点ｔから第２所定期間ｔ２以前に該当する。第２所定期間ｔ２は第７４段階が行われるのにかかる期間である。第２伝送時点が到来していないと判断された場合には，第７２段階を行い続ける。しかし，第２伝送時点になったと判断された場合には，デコードされて保存された結果を増幅し，増幅された結果を音として再生する（第７４段階）。
【００４９】
以下，本実施形態にかかるマルチメディアデータ再生装置の構成及び動作を図面を参照して次のように説明する。
【００５０】
図６は，本実施形態にかかるマルチメディアデータ再生装置のブロック図であって，データ処理部９０及びデータ再生部９２などから構成される。
【００５１】
図６は，図１に示されたマルチメディアデータ再生方法を行うことができる。図１に示された第１０段階を行うために，データ処理部９０は他のプログラムやコンピュータ等から入力端子ＩＮ１を通じて入力されたマルチメディアデータからビデオデータ，オーディオデータ及び同期データを分離する。データ処理部９０は，分離された同期データから同期信号を抽出し，分離されたビデオデータと分離されたオーディオデータ及び抽出された同期信号をデータ再生部９２に出力する。
【００５２】
図７は，図６に示されたデータ処理部９０の具体例９０Ａのブロック図であって，データ受信部１００，データ分離部１０２及び信号抽出部１０４を含んで構成される。
【００５３】
図７に示されたデータ処理部９０Ａは図２に示された第１０Ａ段階を行う役割をする。すなわち，第２０段階を行うために，データ処理部９０Ａのデータ受信部１００は入力端子ＩＮ１を通じてマルチメディアデータを受信し，受信したマルチメディアデータをデータ分離部１０２に出力する。この時，マルチメディアデータを外部のネットワークバス（図示せず）を通じて無線で受信する場合には，データ受信部１００として無線ネットワークカードを適用できる。
【００５４】
第２２段階を行うために，データ分離部１０２はデータ受信部１００によって受信されたマルチメディアデータからビデオデータ，オーディオデータ及び同期データを分離する。そしてデータ分離部１０２は，分離されたビデオデータを出力端子ＯＵＴ２を通じてデータ再生部９２に出力し，分離されたオーディオデータを出力端子ＯＵＴ３を通じてデータ再生部９２に出力し，分離された同期データを信号抽出部１０４に出力する。
【００５５】
第２４段階を行うために，信号抽出部１０４はデータ分離部１０２から入力された同期データから同期信号を抽出し，抽出した同期信号を出力端子ＯＵＴ４を通じてデータ再生部９２に出力する。
【００５６】
一方，図１に示された第１２段階を行うために，データ再生部９２はデータ処理部９０から入力されたビデオデータに相当する映像を印刷し，印刷結果を出力端子ＯＵＴ１を通じて出力する。一方でデータ再生部９２は，データ処理部９０から入力されたオーディオデータに相当する音を再生し，再生された音を出力端子ＯＵＴ１を通じて出力する。この時，データ再生部９２はデータ処理部９０から入力された同期信号に応じて映像の印刷と音の再生を同期させる。
【００５７】
図８は，図６に示されたデータ再生部９２の具体例９２Ａのブロック図であって，映像再生部１１０及び音再生部１１２を含んで構成される。
【００５８】
図８に示された映像再生部１１０は入力端子ＩＮ２を通じてデータ処理部９０から入力されたビデオデータに相当する映像を印刷することによって再生し，再生された映像，すなわち，印刷された映像を出力端子ＯＵＴ５を通じて出力する。この時，音再生部１１２は入力端子ＩＮ３を通じてデータ処理部９０から入力されたオーディオデータに相当する音を再生し，再生された音を出力端子ＯＵＴ６を通じて出力する。この時，映像再生部１１０と音再生部１１２とは入力端子ＩＮ４を通じてデータ処理部９０から入力された同期信号に応じて同期されて映像を印刷して音を再生する。
【００５９】
図９は，図８に示された映像再生部１１０の具体例１１０Ａのブロック図であって，ビデオデコード部１２０，第１時点検査部１２２及び印刷部１２４を含んで構成される。
【００６０】
図９に示された映像再生部１１０Ａは図３に示された第１２Ａ段階を行う役割をする。
【００６１】
第３０段階を行うために，ビデオデコード部１２０は，印刷されるページ毎に，入力端子ＩＮ２を通じてデータ処理部９０から入力された１ページに属するビデオデータをフレーム単位にデコードし，デコードされた結果を保存する。
【００６２】
第３２段階を行うために，第１時点検査部１２２は入力端子ＩＮ４を通じてデータ処理部９０から入力された同期信号に応じて，第１伝送時点になったか否かを検査し，検査した結果を第１制御信号として印刷部１２４に出力する。
【００６３】
第３４段階を行うために，印刷部１２４は第１時点検査部１２２から入力された第１制御信号に応じて，すなわち，第１制御信号を通じて第１時点になったと認識された場合に，ビデオデコード部１２０から入力されたデコード結果から１ページの映像を印刷し，印刷された結果を出力端子ＯＵＴ５を通じて出力する。
【００６４】
図１０は，図９に示された印刷部１２４の具体例１２４Ａのブロック図であって，比較部１３０，印刷データ構成部１３２及び印刷エンジン１３４を含んで構成される。
【００６５】
図１０に示された印刷部１２４Ａは図４に示された第３４Ａ段階を行う役割をする。
【００６６】
図４に示された第５０段階を行うために，比較部１３０は入力端子ＩＮ５を通じて第１時点検査部１２２から入力された第１制御信号に応じて，単位時間当りに印刷が要求されるビデオデータに含まれるフレームの第１個数と単位時間当りに印刷させうるフレームの第２個数とを比較し，比較された結果を印刷データ構成部１３２に出力する。ここで，第１個数及び第２個数は入力端子ＩＮ６を通じて入力される。
【００６７】
この時，第５２または第５４段階を行うために，印刷データ構成部１３２は比較部１３０から入力された比較結果に応じて印刷データを構成する。例えば，印刷データ構成部１３２は比較部１３０から入力された比較結果を通じて第１個数が第２個数以上であると認識した場合には第５２段階の処理を行う。具体的には，印刷データ構成部１３２は，ビデオデコード部１２０から入力端子ＩＮ７を通じて入力された１ページに対して保存されているデコードされた結果のうち，印刷される１ページに含まれうるフレームの総数を超えない数のフレームに該当するデコード結果だけを選択的に抽出し，抽出された結果で印刷データを構成する。一方，印刷データ構成部１３２は，第１個数が第２個数より少ないと認識した場合には第５４段階を行う。具体的には，印刷データ構成部１３２は，ビデオデコード部１２０から入力端子ＩＮ７を通じて入力された１ページに対して保存されているデコードされた結果で印刷データを構成する。その後，印刷データ構成部１３２は，上記第５２段階または第５４段階により構成された印刷データを印刷エンジン１３４に出力する。
【００６８】
第５６段階を行うために，印刷エンジン１３４は印刷データ構成部１３２から入力された印刷データから１ページの映像を印刷し，印刷された結果を出力端子ＯＵＴ５を通じて出力する。
【００６９】
図１１は，図８に示された音再生部１１２の具体例１１２Ａのブロック図であって，オーディオデコード部１４０，第２時点検査部１４２及び音出力部１４４を含んで構成される。
【００７０】
図１１に示された音再生部１１２Ａは図５に示された第１２Ｂ段階を行う役割をする。
【００７１】
図１１に示されたオーディオデコード部１４０は図５に示された第７０段階を行うために，印刷される１ページに属する映像と共に再生されるオーディオデータを入力端子ＩＮ３を通じてデータ処理部９０から入力され，入力されたオーディオデータをフレーム単位にデコードし，デコードされた結果を保存する。例えば，オーディオデコード部１４０はオーディオデータをデコードしてアナログ形態の電気的な信号に変換する役割をする。
【００７２】
第７２段階を行うために，第２時点検査部１４２は入力端子ＩＮ４を通じてデータ処理部９０から入力された同期信号を利用して第２伝送時点になったか否かを検査し，検査結果を第２制御信号として音出力部１４４に出力する。
【００７３】
第７４段階を行うために，音出力部１４４は第２時点検査部１４２から入力された第２制御信号に応じて，すなわち，第２制御信号を通じて第２伝送時点になったと認識した場合には，オーディオデコード部１４０から入力された保存結果を増幅し，増幅された結果を音として再生し，再生された音を出力端子ＯＵＴ６を通じて出力する。このために，音出力部１４４はオーディオデコード部１４０から入力された保存結果を増幅する増幅器（図示せず）と増幅された結果を音として出力するスピーカー（図示せず）を備えることができる。
【００７４】
図６から図１１に示された本実施形態にかかるマルチメディア再生装置及びその具体例はプリンタ（図示せず）などに内蔵されうる。
【００７５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７６】
本発明は映像と音とついてのデータを何れも有するマルチメディアデータを処理するシステムに適用可能である。
【図面の簡単な説明】
【００７７】
【図１】本発明の実施形態によるマルチメディアデータ再生方法を説明するためのフローチャートである。
【図２】同実施の形態における図１に示された第１０段階を説明するためのフローチャートである。
【図３】同実施の形態における図１に示された第１２段階を説明するためのフローチャートである。
【図４】同実施の形態における図３に示された第３４段階を説明するためのフローチャートである。
【図５】同実施の形態における図１に示された第１２段階を説明するためのフローチャートである。
【図６】同実施の形態におけるマルチメディアデータ再生装置を示すブロック図である。
【図７】同実施の形態におけるデータ処理部を示すブロック図である。
【図８】同実施の形態におけるデータ再生部を示すブロック図である。
【図９】同実施の形態における映像再生部を示すブロック図である。
【図１０】同実施の形態における印刷部を示すブロック図である。
【図１１】同実施の形態における音再生部を示すブロック図である。
【符号の説明】
【００７８】
１００      装置
１０２      部品
９０      データ処理部
９２      データ再生部
ＩＮ１      入力端子
ＯＵＴ１      出力端子
【図１】
2005057751.tif 000003
【図２】
2005057751.tif 000004
【図３】
2005057751.tif 000005
【図４】
2005057751.tif 000006
【図５】
2005057751.tif 000007
【図６】
2005057751.tif 000008
【図７】
2005057751.tif 000009
【図８】
2005057751.tif 000010
【図９】
2005057751.tif 000011
【図１０】
2005057751.tif 000012
【図１１】
2005057751.tif 000013